(57)【要約】【課題】  特に指向性の強い発光ダイオードを光源として使用しても、反射光による演出の柔らかさを維持しつつ、建築物への設置で要求される小型化及び器具効率の向上を達成可能な照明装置を提供する。【解決手段】  光源２及び反射面３が設けられた形材４を備える照明装置であって、反射面３は、光源２と対向するように配置された弧面部３０を有しており、光源２を発し弧面部３０で反射された正反射光は、光源２を通り開口部５と平行な仮想線Ｊより開口部５側で集光する。【選択図】図１
2020095923.tif 000002
【特許請求の範囲】
【請求項１】
光源及び反射面が設けられた形材を備える照明装置であって、
前記反射面は、前記光源と対向するように配置された弧面部を有しており、
前記光源を発し前記弧面部で反射された正反射光は、前記光源を通り開口部と平行な仮想線より前記開口部側で集光する、照明装置。
【請求項２】
前記弧面部は、反射部分と、前記反射部分に隣接するバッフル部分を有しており、
前記バッフル部分は、隣接する前記反射部分より入射光の密度が低く、
前記光源を発し前記反射部分で反射された正反射光は、前記開口部に直接放射される、請求項１に記載の照明装置。
【請求項３】
前記光源の延在方向に垂直な面において、前記弧面部で反射された正反射光が集光する集光点と前記光源とを通る直線は、前記開口部に対して傾斜している又は前記開口部と平行である、請求項１又は２に記載の照明装置。
【請求項４】
前記弧面部が、実質的に楕円弧形状を有している、請求項１〜３のいずれかに記載の照明装置。
【請求項５】
前記弧面部の一端が、前記開口部上に位置している請求項１〜４のいずれかに記載の照明装置。
【請求項６】
前記反射面は、形状が互いに異なる２以上の弧面部を有している請求項１〜５のいずれかに記載の照明装置。
【発明の詳細な説明】
【技術分野】
【０００１】
本発明は、照明装置、特には光源からの光を反射面で反射させた反射光を照射する間接照明装置に関する。
【背景技術】
【０００２】
従来、柔らかい光の演出が可能な照明装置として、光源からの光を反射面で反射させた反射光を照射する間接照明装置が使用されている。例えば特開２００２−２１６５１８号公報（特許文献１）及び特表２００７−５１１４５１号公報（特許文献２）には、光源からの光を、略円弧状の反射面で反射した反射光を照射する間接照明装置が開示されている。
【先行技術文献】
【特許文献】
【０００３】
【特許文献１】特開２００２−２１６５１８号公報
【特許文献２】特表２００７−５１１４５１号公報
【発明の概要】
【発明が解決しようとする課題】
【０００４】
近年、建築物の意匠効果を高めるために、建築物の壁面、床、天井等に設置される照明装置として間接照明装置が使用されている。このような建築物への照明装置の設置では、建築物自体が有する美観が損なわれないようにするために、照明装置の小型化が要求される。
【０００５】
特に、照明装置において近年多用されている発光ダイオードは、指向性が強いため、反射光による演出を柔らかなものとするために、反射面と発光ダイオードとの間の間隔を大きくする必要がある。そのため、発光ダイオードを光源とした間接照明装置では、建築物への設置で要求される小型化の達成がより困難となっている。
【０００６】
また、小型化した照明装置においても、従来の照明装置と同様の光学的演出を可能とすべく、照明装置の器具効率の向上が要求される。
【０００７】
本発明は、上記の課題を解決すべくなされたものであり、特に指向性の強い発光ダイオードを光源として使用しても、反射光による演出の柔らかさを維持しつつ、建築物への設置で要求される小型化及び器具効率の向上を達成可能な照明装置を提供することを目的とする。
【課題を解決するための手段】
【０００８】
上記課題を解決するための本発明の照明装置は、光源及び反射面が設けられた形材を備える照明装置であって、反射面は、光源と対向するように配置された弧面部を有しており、光源を発し弧面部で反射された正反射光は、光源を通り開口部と平行な仮想線より開口部側で集光する、照明装置である。
本明細書において正反射光が「集光する」とは、正反射光が絞られて（正反射光の光束径が次第に小さくなりながら）一定の領域内、例えば反射面が焦点を有する形状である場合には焦点の近傍に放射されることを意図しており、一定の領域内の一点で焦点を結ばなくともよく、例えば、全正反射光の５０％以上の正反射光が当該領域に放射されればよく、好ましくは、７０％以上、より好ましくは８０％以上、最も好ましくは９０％以上である。
本明細書において開口部とは、光源の延在方向に垂直な面において、照明装置の外周面の一端と、外周面の他端との間を意味するものである。また、照明装置の外周面とは、光源からの光及び反射面による反射光が直接照射されない面をいう。
また、本明細書において光源の延在方向とは、光源が長尺部材である場合には、その長手方向であり、本実施形態のように、複数の光源（ＬＥＤモジュール）が直列に配列されている場合には、複数の光源の配列方向である。また、複数の光源（ＬＥＤモジュール）が格子状に配列されている場合には、格子の長手方向である。
【０００９】
本発明の照明装置においては、弧面部は、反射部分と、反射部分に隣接するバッフル部分を有しており、バッフル部分は、隣接する反射部分より入射光の密度が低く、光源を発し反射部分で反射された正反射光は、開口部に直接放射される、ことが好ましい。
【００１０】
本発明の照明装置においては、光源の延在方向に垂直な面において、弧面部で反射された正反射光が集光する集光点と光源とを通る直線は、開口部に対して傾斜している又は開口部と平行である、ことが好ましい。
【００１１】
本発明の照明装置においては、弧面部が、実質的に楕円弧形状を有している、ことが好ましい。
本明細書において「弧面部が、実質的に楕円弧形状」とは、弧面部が、楕円弧形状である場合に加えて、弧面部が楕円弧形状の一部を変形した形状を有している場合を含むものであり、例えば、弧面部に複数のバッフルが形成されている場合には、複数のバッフルの各先端部分が楕円弧上に配置された形状となる場合、または、複数のバッフルを除いた部分の形状が楕円弧形状となる場合のように、一部が変形されていても楕円弧形状の特性を有している形状または全体として楕円弧とみなすことができる形状を含むものである。
【００１２】
本発明の照明装置においては、弧面部の一端が、開口部上に位置している、ことが好ましい。
【００１３】
本発明の照明装置においては、反射面は、形状が互いに異なる２以上の弧面部を有している、ことが好ましい。
【発明の効果】
【００１４】
本発明によれば、特に指向性の強い発光ダイオードを光源として使用しても、反射光による演出の柔らかさを維持しつつ、建築物への設置で要求される小型化及び器具効率の向上を達成可能な照明装置を提供することができる。
【図面の簡単な説明】
【００１５】
【図１】一実施形態にかかる照明装置の基本構成を示す概略断面図
【図２】上部カバー部用形材の概略斜視図
【図３】上部カバー部用形材の概略断面図
【図４】下部カバー部用形材の概略斜視図
【図５】下部カバー部用形材の概略断面図
【図６】第１の側壁部の形成位置を示す斜視図
【図７】反射部用形材の概略斜視図
【図８】反射部用形材の概略断面図
【図９】第１の弧面部の楕円で反射した反射光の経路の概略図
【図１０】バッフルの形状を示す概略図
【図１１】第２の弧面部の焦点位置を示す概略図
【図１２】照明装置をコーニス照明として使用した状態の概略断面図
【図１３】１つの照明装置をベース照明として使用した状態の概略断面図
【図１４】２つの照明装置をベース照明として使用した状態の概略断面図
【図１５】照明装置をペンダント照明として使用した状態の概略断面図
【図１６】照明装置をコーブ照明として使用した状態の概略断面図
【図１７】照明装置を足元照明として使用した状態の概略断面図
【図１８】反射面による反射光が分散する状態の概略断面図
【発明を実施するための形態】
【００１６】
本発明の照明装置は、光源及び反射面が設けられた形材を備える照明装置であって、反射面は、光源と対向するように配置された弧面部を有しており、光源を発し弧面部で反射された正反射光は、光源を通り開口部と平行な仮想線より開口部側で集光する、ものである。
【００１７】
以下、本発明の実施形態について、図面を参照して詳細に例示説明する。なお、本明細書においては、共通する構成には、共通する用語を用いると共に、各図において略同一に図示して詳細な説明は省略し、必要に応じて同一の符号で示すこととする。
【００１８】
図１は、照明装置１の光源の延在方向に垂直な一断面を示しており、照明装置１は、光源としてのＬＥＤを備えるＬＥＤモジュール２と、反射面３と、ＬＥＤモジュール２及び反射面３が設けられる形材４とを備えている。本実施形態では、形材４の反射部用形材７０の一部に光を散乱させる粗面処理が施されており、この粗面処理が施された部分が、反射面３の一部を構成している。照明装置１は、ＬＥＤが発する光、例えば図１に示すような光源の主方向Ｄ１（鉛直方向、即ち、ＬＥＤチップ２ａの光を放出する面を平面とした場合の光の放出側の法線方向）に出射する光、主方向よりこの図で右３０度方向（開口部側方向）Ｄ２に出射する光、及び、主方向よりこの図で左の任意の方向（奥方向）Ｄ３に出射する光を反射面３で反射させてその正反射光（入射角と出射角が等しい光）を、照明装置１の開口部５から放射する。本実施形態において開口部５とは、照明装置１の光源の延在方向に垂直な面（形材断面）において、照明装置１の外周面１ａの一端１ｂと、外周面１ａの他端１ｃとの間である。図１においては、開口部５を破線にて模式的に示している。
【００１９】
本実施形態のＬＥＤモジュール２は、ＬＥＤチップ２ａを電極パターンが描かれた基板２ｂに直接配置したＬＥＤプレートとして構成されている。具体的には、ＬＥＤモジュール２は、例えば配線パターン及びアンカー部が形成される基板２ｂと、配線パターン上に施される補助メッキ及び金メッキを介して電極が接続されるＬＥＤチップ２ａとを備えている。ＬＥＤチップ２ａは、白色ＬＥＤなど発光色が単一のものであってもよいし、例えば赤色、緑色及び青色に発光する複数種類のチップを並べたマルチタイプのものであってもよい。白色ＬＥＤは、低色温度の電球色ＬＥＤや高色温度の昼光色ＬＥＤであってもよい。ＬＥＤチップ２ａの表面には、レンズ状（凸状）のコーティングが形成されていてもよい。
【００２０】
基板２ｂには、例えば１２チップ、１６チップ、２０チップ等の所望の数のＬＥＤチップ２ａが間隔を置いて直線状に搭載される。各基板２ｂは、連結部（図示せず）を介して、長尺状に接続できるように構成されている。基板２ｂの表面側には、基板２ｂと間隔を置いて、例えばアクリル板からなる透過率の高い板２ｃが配置されている。基板２ｂの裏面には、電気ケーブル６が接続されており、電源ユニット７から電気が供給されている。電源ユニット７としては、照明装置において使用されている公知の構成を有する電源ユニットを使用することができる。電源ユニット７は、公知の給電構造により外部から交流が給電され、直流に変換している。なお、基板２ｂは、電気ケーブル６及び電源ユニット７を介さずに、外部の交流あるいは直流給電設備から直接給電する構成としてもよい。
【００２１】
反射面３は、ＬＥＤが発する光を開口部５に向けて反射する。本実施形態では、照明装置１の開口部５を見たときに、上述したＬＥＤチップ２ａからの反射光が粒々として見えないよう、反射面３は完全な鏡面でなく、若干粗面反射を行う光散乱面としている。反射面３の具体的な構成は、後に詳細に説明する。
【００２２】
形材４は、アルミニウムを押し出し成形することにより長尺状に形成されており、本実施形態の照明装置１は、形材４として、照明装置１の上壁部１ｄを構成する上部カバー部用形材５０と、照明装置１の下壁部１ｅを構成する下部カバー部用形材６０と、反射面３が形成される反射部用形材７０とを備えている。本実施形態では、上部カバー部用形材５０の一部である傾斜面部５２ｇにも反射面３が形成されている。即ち本実施形態では、形材４の一部、より詳細には、上部カバー部用形材５０の一部が、反射面３として機能している。
【００２３】
図２及び図３に示すように、本実施形態の上部カバー部用形材５０は、ＬＥＤチップ２ａの配列方向（光源の延在方向）に垂直な面において、照明装置１の幅方向（図１における左右方向）の全体を覆う寸法を有する本体壁部５１と、本体壁部５１の一端５１ａから垂直に起立する第１の起立壁部５２と、本体壁部５１の他端５１ｂから垂直に起立する第２の起立壁部５３と、を備えている。
【００２４】
本体壁部５１の内周面５１ｃには、断面Ｌ字状のＬ字板状突出部５１ｄがＬＥＤチップ２ａの配列方向（光源の延在方向）の全体に亘って形成されている。本体壁部５１の内周面５１ｃとＬ字板状突出部５１ｄとにより挟まれる空間には、Ｌ字形状を有する連結金具９の一端が挿入されている。
【００２５】
連結金具９は、本体壁部５１の内周面５１ｃ及び第１の起立壁部５２の内周面５２ａに亘って設けられている。連結金具９は、鉄板により形成されており、複数の照明装置を連結して使用する場合の照明装置間のズレを防止するという機能を有する。
【００２６】
本実施形態では、第１の起立壁部５２は、ＬＥＤチップ２ａの配列方向（光源の延在方向）に垂直な面において、照明装置１の厚み方向（図１における上下方向）の全体を覆う寸法を有している。第１の起立壁部５２の内周面５２ａには、第２の起立壁部５３に向かって張り出す板状張出部５２ｂがＬＥＤチップ２ａの配列方向（光源の延在方向）の全体に亘って形成されている。
【００２７】
第１の起立壁部５２の外周面５２ｃには、板状張出部５２ｂと対向する位置に断面台形状の凹部５２ｄがＬＥＤチップ２ａの配列方向（光源の延在方向）の全体に亘って形成されている。凹部５２ｄには、例えば照明装置１をコーニス照明として使用する場合に、建築物の壁面に取り付ける際に使用される板バネが挿入される。
【００２８】
第１の起立壁部５２にはさらに、板状張出部５２ｂの本体壁部５１側の一端に、本体壁部５１に向かって突出する板状突出部５２ｅがＬＥＤチップ２ａの配列方向（光源の延在方向）の全体に亘って形成されている。第１の起立壁部５２の内周面５２ａと板状突出部５２ｅとにより挟まれる空間には、連結金具９の他端が挿入されている。
【００２９】
第１の起立壁部５２にはさらに、板状張出部５２ｂの他端に、第２の起立壁部５３に向かって突出する一対の板状突出部５２ｆがＬＥＤチップ２ａの配列方向（光源の延在方向）の全体に亘って形成されている。一対の板状突出部５２ｆは、第２の起立壁部５３に向かうに従って互いの距離が短くなるような湾曲形状を有している。板状張出部５２ｂと、一対の板状突出部５２ｆとにより囲まれる空間は、照明装置１のＬＥＤチップ２ａの配列方向（光源の延在方向）に垂直な面において、六角形形状を有している。一対の板状突出部５２ｆは、反射部用形材７０の押し止め部として機能すると共に、ＬＥＤチップ２ａの配列方向（光源の延在方向）に垂直な面に、図示しないカバーを螺子止めするタッピングホールとしても機能するものである。
【００３０】
第１の起立壁部５２の内周面５２ａの先端には、先端側から本体壁部５１側に向かうに従って第２の起立壁部５３との間隔が狭まるように構成された傾斜面部５２ｇが内周面５２ａのＬＥＤチップ２ａの配列方向（光源の延在方向）の全体に亘って形成されている。本実施形態では、傾斜面部５２ｇの内周面が、光を散乱させる粗面処理を施した反射面３の一部を構成している。傾斜面部５２ｇは、傾斜面部５２ｇの本体壁部５１側の端部と、一対の板状突出部５２ｆとの間に凹部５２ｈが形成されるように間隔を空けて形成されている。凹部５２ｈは、反射部用形材７０の一部が嵌合する形状を有している。本実施形態では、傾斜面部５２ｇの先端が開口部５の一端５ａを構成している。
【００３１】
第２の起立壁部５３の内周面５３ａには、第１の起立壁部５２に向かって張り出す板状張出部５３ｂがＬＥＤチップ２ａの配列方向（光源の延在方向）の全体に亘って形成されている。板状張出部５３ｂの本体壁部５１側の端部には、第１の起立壁部５２に向かって突出する板状突出部５３ｃがＬＥＤチップ２ａの配列方向（光源の延在方向）の全体に亘って形成されている。
【００３２】
第２の起立壁部５３の外周面５３ｄには、板状張出部５３ｂと対向する位置に断面台形状の凹部５３ｅがＬＥＤチップ２ａの配列方向（光源の延在方向）の全体に亘って形成されている。凹部５３ｅには、例えば照明装置１をコーニス照明として使用する場合に、建築物の天井に取り付ける際に使用される板バネが挿入される。
【００３３】
本実施形態の上部カバー部用形材５０には、本体壁部５１と第２の起立壁部５３とに跨がるように、第１の起立壁部５２の内周面５２ａの先端に向かって突出する一対の板状突出部５４がＬＥＤチップ２ａの配列方向（光源の延在方向）の全体に亘って形成されている。一対の板状突出部５４は、第１の起立壁部５２の内周面５２ａの先端に向かうに従って互いの距離が短くなるような湾曲形状を有している。一対の板状突出部５４と、本体壁部５１と、第２の起立壁部５３とにより囲まれる空間は、ＬＥＤチップ２ａの配列方向（光源の延在方向）に垂直な面において、六角形形状を有している。
【００３４】
図１に示すように、一対の板状突出部５４は、上部カバー部用形材５０、下部カバー部用形材６０及び反射部用形材７０を組み合わせる際に使用される板バネ１１の当接部として機能するものである。一対の板状突出部５４は、板状突出部５３ｃとの間に凹部５５が形成されるように間隔を空けて形成されている。凹部５５には、上部カバー部用形材５０、下部カバー部用形材６０及び反射部用形材７０を組み合わせる際に使用される板バネ１１の折れ曲がり部が挿入される。なお、一対の板状突出部５４は、前述の一対の板状突出部５２ｆと同様に、タッピングホールとしても機能する。
【００３５】
図４及び図５に示すように、本実施形態の下部カバー部用形材６０は、本体壁部６１と、本体壁部６１の内周面６１ａの一端６１ｂに形成された第１の側壁部６２と、本体壁部６１の内周面６１ａの他端６１ｃに形成された第２の側壁部６３と、を備えている。本実施形態では、本体壁部６１の外周面６１ｆの一端６１ｂが開口部５の他端５ｂを構成している。
【００３６】
本体壁部６１の内周面６１ａには、断面Ｌ字状のＬ字板状突出部６１ｄがＬＥＤチップ２ａの配列方向（光源の延在方向）の全体に亘って形成されている。このように、Ｌ字板状突出部６１ｄは、後述する板状突出部６３ｅと共に電源ユニット７の抜け止め部として機能するものである。
【００３７】
本体壁部６１の内周面６１ａにはさらに、上部カバー部用形材５０に向かって突出する一対の板状突出部６１ｅがＬＥＤチップ２ａの配列方向（光源の延在方向）の全体に亘って形成されている。一対の板状突出部６１ｅは、上部カバー部用形材５０に向かうに従って互いの距離が短くなるような湾曲形状を有している。また、本体壁部６１の一端６１ｂ側の板状突出部６１ｅよりも、他端６１ｃ側の板状突出部６１ｅの方が、上部カバー部用形材５０に向かう突出量が大きくなるように構成されている。一対の板状突出部６１ｅと、本体壁部６１とにより囲まれる空間は、ＬＥＤチップ２ａの配列方向（光源の延在方向）に垂直な面において、六角形形状を有している。
【００３８】
図１に示すように、本実施形態では、一対の板状突出部６１ｅはいずれも、上部カバー部用形材５０、下部カバー部用形材６０及び反射部用形材７０を組み合わせた組み合わせ状態において、反射部用形材７０と当接して、反射部用形材７０を支持している。このように一対の板状突出部６１ｅは、反射部用形材７０を支持する支持部として機能するものである。なお、一対の板状突出部６１ｅは、前述の一対の板状突出部５２ｆ、５４と同様に、タッピングホールとしても機能する。
【００３９】
第１の側壁部６２は、光源としてのＬＥＤが発する光が照明装置１の内部の反射面３で反射されることなく開口部５から直接光として放射されることを防止する。本実施形態では、図６に示すように、ＬＥＤチップ２ａの配列方向（光源の延在方向）に垂直な面において、光源としてのＬＥＤの位置を点Ｏ、開口部５の一端５ａの位置を点Ｐ、開口部５の他端５ｂの位置を点Ｑとして、点Ｑを通り線分ＰＱに垂直な直線が線分ＯＰと交わる点をＲとした場合に、第１の側壁部６２は、点Ｒの位置まで形成されている。具体的には、第１の側壁部６２は、本体壁部６１から上部カバー部用形材５０に向かうように本体壁部６１から上方に向かって形成されている。第１の側壁部６２の開口部５側の面は、上部カバー部用形材５０に向かう従って、第２の側壁部６３に向かって傾斜するように形成されている。また、第１の側壁部６２の先端には、第２の側壁部６３に向かって突出する板状突出部６２ａが形成されている。本実施形態では、板状突出部６２ａ、第１の側壁部６２及び板状傾斜突出部６４により区画される凹部６５に反射部用形材７０の一部が嵌合する。
【００４０】
本体壁部６１の内周面６１ａにはさらに、本体壁部６１と第１の側壁部６２との接続部から、第２の側壁部６３に向かって傾斜する板状傾斜突出部６４が形成されている。本実施形態では、第２の側壁部６３に対する板状傾斜突出部６４の角度と、第２の側壁部６３に対する板状突出部６２ａの本体壁部６１の内周面６１ａと対向する面の角度とが同一となるように構成されている。
【００４１】
第２の側壁部６３は、一端が本体壁部６１の内周面６１ａの他端６１ｃに接続される第１の壁部分６３ａと、一端が第１の壁部分６３ａの他端に接続される第２の壁部分６３ｂと、一端が第２の壁部分６３ｂの他端に接続される第３の壁部分６３ｃと、一端が第３の壁部分６３ｃの他端に接続される第４の壁部分６３ｄと、を備えている。
【００４２】
第１の壁部分６３ａは、本体壁部６１の内周面６１ａの他端６１ｃから、上部カバー部用形材５０に向かうように本体壁部６１に対して垂直に形成されている。第１の壁部分６３ａには、本体壁部６１と平行に延びる板状突出部６３ｅが形成されている。本体壁部６１の内周面６１ａと板状突出部６３ｅとの間には、電源ユニット７の一部が入り込んでいる。このように、板状突出部６３ｅは、上述のＬ字板状突出部６１ｄと共に電源ユニット７の抜け止め部として機能するものである。
【００４３】
第２の壁部分６３ｂは、本体壁部６１と平行に形成されている。図１に示すように、上部カバー部用形材５０、下部カバー部用形材６０及び反射部用形材７０を組み合わせた組み合わせ状態において、第２の壁部分６３ｂには、上部カバー部用形材５０の第２の起立壁部５３が当接している。
【００４４】
第３の壁部分６３ｃは、第１の壁部分６３ａと平行に形成されている。図１に示すように、第３の壁部分６３ｃの外側面には、板バネ１１が設けられている。本実施形態では、第３の壁部分６３ｃ及び板バネ１１のそれぞれに、螺子止め用の図示しない複数の貫通孔が間隔を空けて形成されており、第３の壁部分６３ｃ及び板バネ１１は、螺子Ｎにより互いに固定されている。
【００４５】
第４の壁部分６３ｄは、第２の壁部分６３ｂ及び本体壁部６１と平行に形成されている。第４の壁部分６３ｄには、螺子止め用の図示しない複数の貫通孔がＬＥＤチップ２ａの配列方向（光源の延在方向）に間隔を空けて形成されており、螺子Ｎにより反射部用形材７０に固定されている。
【００４６】
図７及び図８に示すように、反射部用形材７０は、下部カバー部用形材６０に固定される固定部７１と、ＬＥＤモジュール２を支持する支持部７２と、反射面３を構成する反射部７３と、接続部７４とを備えている。接続部７４は、固定部７１、支持部７２及び反射部７３を互いに接続する。
【００４７】
固定部７１は、螺子止め用の図示しない複数の貫通孔が間隔を空けて形成されており、螺子Ｎにより下部カバー部用形材６０の第４の壁部分６３ｄに固定されている。固定部７１の一端は、接続部７４に接続されている。本実施形態では固定部７１は、接続部７４の一端と他端との中間に、接続部７４に対して垂直となるように接続されている。
【００４８】
支持部７２は、底面部７２ａと、底面部７２ａの一端に形成された第１の壁面部７２ｂと、底面部７２ａの他端に形成された第２の壁面部７２ｃと、を備えている。第１の壁面部７２ｂは、底面部７２ａに対して垂直に形成されており、先端が接続部７４の一端に接続されている。本実施形態の支持部７２は、底面部７２ａが接続部７４に対して傾斜するように、接続部７４に接続されている。
【００４９】
第２の壁面部７２ｃは、底面部７２ａから離れるに従って第１の壁面部７２ｂに向かって傾斜するように形成されている。第２の壁面部７２ｃの先端には、透過率の高い板２ｃの脱落を防止する抜け止め部７２ｄがＬＥＤチップ２ａの配列方向（光源の延在方向）の全体に形成されている。第２の壁面部７２ｃ及び抜け止め部７２ｄは、底面部７２ａの一部とともに、板状突出部６２ａ、第１の側壁部６２及び板状傾斜突出部６４により区画される凹部６５に嵌合する。
【００５０】
底面部７２ａには、凹部７２ｅが形成されている。本実施形態の支持部７２は、底面部７２ａ、第１の壁面部７２ｂ及び第２の壁面部７２ｃにより区画される第１の収容部７２ｆにＬＥＤモジュール２の透過率の高い板２ｃが収容される。また、底面部７２ａの凹部７２ｅにより構成される第２の収容部７２ｇにＬＥＤモジュール２の基板２ｂが収容される。凹部７２ｅの底面には、基板２ｂと電源ユニット７とを電気的に接続する電気ケーブル６が挿通される図示しない貫通孔が間隔を空けて形成されている。
【００５１】
反射部７３は、全体が断面曲面形状を有しており、一端７３ａが接続部７４の一端に接続されている。反射部７３の他端７３ｂには、板状折れ曲がり部７３ｃが形成されている。板状折れ曲がり部７３ｃは、上部カバー部用形材５０の第１の起立壁部５２に形成された凹部５２ｈに嵌合する形状を有している。
【００５２】
反射部７３のＬＥＤモジュール２と対向する面は、上部カバー部用形材５０の傾斜面部５２ｇの内周面とともに、反射面３を構成する。反射面３は、ＬＥＤチップ２ａが発する光を、照明装置１の開口部５に向けて反射する。
【００５３】
本実施形態において反射面３は、ＬＥＤチップ２ａの配列方向（光源の延在方向）に垂直な面において、弧形状を有する弧面部３０を有している。本実施形態では、反射部７３の全体が弧面部３０により形成されている。本実施形態の反射部７３では、光源の延在方向に垂直な面において開口部５の一端５ａ及び他端５ｂを通る直線に沿った、一端７３ａと他端７３ｂとの間の寸法が、６８．２ｍｍである。言い換えると、本実施形態の弧面部は、光源の延在方向に垂直な面において開口部５の一端５ａ及び他端５ｂを通る直線に沿った寸法が、６８．２ｍｍである。特に本実施形態の反射面３は、第１の弧面部３１と、第２の弧面部３２とを有し、第２の弧面部３２の断面は好ましくは楕円弧で構成されている。
【００５４】
説明のため反射面にバッフルのない場合を示す図９を参照して、第１の弧面部３１は好ましくは本実施形態のように楕円Ｅ１であって、光源としてのＬＥＤの位置である点Ｏ上に第１焦点３１Ｆがあり、開口部５と重なる点Ａ上に第２焦点３１Ｆ’があり、かつ、開口部５の一端にある点Ｐを通る楕円の弧の形状とすることができる。この場合、第１焦点３１ＦにあるＬＥＤを発し第１の弧面部３１で正反射された光は第２焦点３１Ｆ’に集光する。本実施形態では、第１の弧面部３１の楕円Ｅ１の第１焦点３１Ｆ及び第２焦点３１Ｆ’を結ぶ直線は、開口部５に対して傾斜している。言い換えると、ＬＥＤを発した光は開口部５と平行で点Ｏを通る仮想直線Ｊよりも開口部５側に集光する。本実施形態では、第１の弧面部３１の楕円Ｅ１の第１焦点３１Ｆ及び第２焦点３１Ｆ’を通る直線と、開口部５とのなす角は１５°である。本実施形態では、第１の弧面部３１は、反射部７３と上部カバー部用形材５０の傾斜面部５２ｇの内周面とに跨がって形成されている。
【００５５】
このように、第１の弧面部３１は、第１の弧面部３１の楕円Ｅ１の２つの焦点が光源上の点（光源位置）Ｏ及び点Ｏを通り開口部５と平行な仮想線Ｊより開口部５側、本実施形態では開口部５と重なる点Ａ上の位置にあるため、図９に示すように、光源位置Ｏから第１の弧面部３１に向けて放射された光は、開口部５上に位置する位置Ａに集光されるように反射される。なお、上記のように、反射面３には粗面処理が施されているため、実際には反射面３は光を散乱反射するが、そのうち正反射成分が位置Ａに集光される。そのため、第１の弧面部３１に向けて放射された光の多くは、第１の側壁部６２により遮られる光を除き、１回の反射で照明装置の外部に放射される。本実施形態の照明装置１では、光源位置Ｏに比べて集光位置Ａが図で右方向にあることにより、真下よりやや右方向へ出射する光の成分が多くなっている。なお、図９においては、理解を容易にするために、反射面３が楕円弧状の第１の弧面部３１のみからなる場合を示している。
【００５６】
図１０及び図１１に示すように、特に本実施形態では、第１の弧面部３１に複数のバッフルＢが形成されている。本実施形態では、複数のバッフルＢはそれぞれ、第１の弧面部３１を、ＬＥＤチップ２ａの配列方向（光源の延在方向）に垂直な面において、以下に説明する
反射部分３１ａ’〜３１ｎ’と、反射部分３１ａ’〜３１ｎ’にそれぞれ隣接するバッフル部分３１ａｂ〜３１ｍｎに分割している。なお、バッフルという言葉は光学分野では「遮光板」という意味で用いられることがあるが、本明細書においては、隣接する反射面部に比べて相対的に入射光の密度（単位面積当たりの入射光量）が低く、そのために暗い部分を指しており、入射した光を遮光せずに、反射・放射してもよい。バッフルＢでは、反射部分３１ａ’〜３１ｎ’よりも、バッフル部分３１ａｂ〜３１ｍｎが光源Ｏから後退している。それにより開口部５における正反射成分の放射の範囲を広げる効果を有しており、また、バッフル部分３１ａｂ〜３１ｍｎは、隣接する反射部分３１ａ’〜３１ｎ’より入射光の密度が低くなっている。本実施形態では、反射部分３１ａ’〜３１ｎ’及びバッフル部分３１ａｂ〜３１ｍｎはいずれも、平面形状であるが、わずかに湾曲する面であってもよい。
図８に示す本実施形態では、反射部分は、反射部７３の他端７３ｂ側から順に、光源の延在方向に垂直な面における長手方向の寸法がそれぞれ、１０．０１ｍｍ、８．９１ｍｍ、７．６０ｍｍ、６．４９ｍｍとなっている。また、図８に示す本実施形態では、バッフル部分は、反射部７３の他端７３ｂ側から順に、光源の延在方向に垂直な面における長手方向の寸法がそれぞれ、３．４７ｍｍ、３．３８ｍｍ、２．５５ｍｍ、２．１３ｍｍとなっている。
【００５７】
このように、光源位置Ｏから遠ざけたバッフル部分３１ａｂ〜３１ｍｎを設けることにより、第１の弧面部３１が楕円Ｅ１に沿った形状のみである場合に比べて開口部５における正反射成分の放射の範囲を広げ、それにより光の取り出し効率を向上させるとともに、光の密度を下げ眩しさを緩和することができる。特にバッフル部分３１ａｂ〜３１ｍｎが反射部分３１ａ’〜３１ｎ’に比べて相対的に暗い部分を形成するため、眩しさの緩和に寄与する。
【００５８】
第１の弧面部３１の具体的な構成について図１０を用いて詳述する。図１０に示すように、まず、点Ｏ及び点Ｐを通る直線を基準線Ｌ０として、この基準線Ｌ０を、点Ｏを中心に一定の角度ずつ回転させた複数の直線を、基準線Ｌ０側から順番にＬ１〜Ｌｎと定める。そして直線Ｌ１〜Ｌｎと第１の弧面部３１の楕円との交点Ｃ１〜Ｃｎにより、第１の弧面部３１を、弧面形状を有するｎ個の仮想反射面部３１ａ〜３１ｎに分割する。本実施形態では、仮想反射面部３１ｎは、点Ｑを通り線分ＰＱに垂直な直線と交差する。なお、点Ｑを通り線分ＰＱに垂直な直線が、直線Ｌ１〜Ｌｎと第１の弧面部３１の楕円との交点を通る場合には、点Ｑを通り線分ＰＱに垂直な直線よりも光源上の点Ｏ側には、第１の弧面部３１は形成されないものとすることができる。
【００５９】
次に、弧面形状を有する仮想反射面部３１ａを、点Ｐと点Ｐに隣接する交点Ｃ１とを結ぶ線分上に位置する平面からなる反射部分３１ａ’に変更する。
【００６０】
弧面形状の仮想反射面部３１ｂは、交点Ｃ１と直線Ｌ１上の点Ｍ１とを結ぶ線分上に位置するバッフル部分３１ａｂと、点Ｍ１と交点Ｃ２とを結ぶ線分上に位置する反射部分３１ｂ’に変更する。
【００６１】
弧面形状の仮想反射面部３１ｃは、交点Ｃ２と直線Ｌ２上の点Ｍ２とを結ぶ線分上に位置するバッフル部分３１ｂｃと、点Ｍ２と交点Ｃ３とを結ぶ線分上に位置する反射部分３１ｃ’に変更する。
【００６２】
仮想反射面部３１ｄ〜３１ｎは、仮想反射面部３１ｂ及び３１ｃと同様の手法により、バッフル部分及び反射部分などに変更する。
【００６３】
このように、本実施形態の第１の弧面部３１は、点Ｐから仮想反射面部３１ｎの光源上の点Ｏ側の端部の点Ｓに亘って形成されている。図１から明らかなように、本実施形態の第１の弧面部３１は、反射面３の５０％以上に亘って形成されている。
【００６４】
なお、点Ｍ１〜Ｍｎ−１の位置は、光源上の点Ｏから反射部分３１ａ’〜３１ｎ’に向けて放射された光が、１回の反射でその正反射成分が照明装置の外部に放射されれば、任意の位置とすることができる。この場合照明装置が光を照射する照射面にムラが生じないことが好ましい。
【００６５】
図９のように、反射面が１つの楕円弧のみで形成されている場合よりも、開口部５における正反射成分の放射の範囲を広げた設計を図１１に示す。図１１の設計では、ＬＥＤから放射された光を照明装置の外部に効率良く取り出し、また光線の密度を下げることにより、眩しさを抑える効果を有する。
【００６６】
図１１に示すように、第２の弧面部３２は、反射面部３１ｎの光源上の点Ｏ側の端部Ｓから一端７３ａに亘って形成されている。第２の弧面部３２の楕円Ｅ２は、光源としてのＬＥＤの位置である点Ｏ上に第１焦点３２Ｆがある楕円である。この楕円Ｅ２は、第１の弧面部３１に接する楕円Ｅ１の第１焦点３１Ｆ及び第２焦点３１Ｆ’を結ぶ線分上であり、かつ、第２の弧面部３２で反射した光を開口部５に直接放射する位置に、第２焦点３２Ｆ’がある。
【００６７】
このように、第２の弧面部３２は、第２の弧面部３２の楕円Ｅ２の２つの焦点が光源位置Ｏ、及び、第１の弧面部３１の楕円Ｅ１の第１焦点３１Ｆ及び第２焦点３１Ｆ’を結ぶ線分上であり、かつ、第２の弧面部３２で反射した光を開口部５に直接放射する位置にあるため、光源位置Ｏから第２の弧面部３２に向けて放射された光は、１回の反射でその正反射成分が照明装置の外部に放射される。
【００６８】
本実施形態の照明装置１においては、第１の弧面部３１の楕円Ｅ１の第１焦点３１Ｆ及び第２焦点３１Ｆ’を結ぶ直線が、開口部５に対して傾斜しているため、弧面部を有する反射面３と、開口部５との最大間隔を、第１の弧面部３１の楕円Ｅ１の第１焦点３１Ｆ及び第２焦点３１Ｆ’を結ぶ直線が、開口部５に対して垂直である場合に比べて小さなものとすることができる。
【００６９】
次に本実施形態の照明装置１の組み立ての態様の一例について説明する。まず、反射部用形材７０の一方の端部から、第１の収容部７２ｆ及び第２の収容部７２ｇに、ＬＥＤモジュール２の、透過性の高い板２ｃ及び基板２ｂがそれぞれ収容されるように、ＬＥＤモジュール２をスライドさせて、反射部用形材７０の支持部７２にＬＥＤモジュール２を設置する。次に、下部カバー部用形材６０の一方の端部から、電源ユニット７をスライドさせて、下部カバー部用形材６０に電源ユニット７を設置する。なお、ＬＥＤモジュール２の設置の前に、電源ユニット７を設置してもよい。電気ケーブル６により、ＬＥＤモジュール２と電源ユニット７とを電気的に接続する。
【００７０】
次に、反射部用形材７０の固定部７１と、下部カバー部用形材６０の第４の壁部分６３ｄとを、螺子Ｎにより螺子止めして、反射部用形材７０と下部カバー部用形材６０とを固定する。また、下部カバー部用形材６０の第３の壁部分６３ｃに、螺子Ｎにより板バネ１１を固定する。なお、反射部用形材７０と下部カバー部用形材６０との固定の前に、板バネ１１の固定を行ってもよい。
【００７１】
次に、反射部用形材７０及び下部カバー部用形材６０を、上部カバー部用形材５０に取り付ける。具体的には、反射部用形材７０の反射部７３の板状折れ曲がり部７３ｃを、上部カバー部用形材５０の第１の起立壁部５２に形成された凹部５２ｈに挿入して嵌合させた状態で、この嵌合部分を軸に、板バネ１１の折れ曲がり部が凹部５５に挿入されるまで、反射部用形材７０及び下部カバー部用形材６０を回転させる。板バネ１１は、反射部用形材７０及び下部カバー部用形材６０を、第１の起立壁部５２に向けて付勢する。この板バネ１１による付勢と、板状折れ曲がり部７３ｃ及び凹部５２ｈの嵌合とにより、反射部用形材７０及び下部カバー部用形材６０は、螺子等を使用せずに上部カバー部用形材５０に取り付けられる。なお、上部カバー部用形材５０は、建築物等に予め設置されていてもよい。
【００７２】
反射部用形材７０及び下部カバー部用形材６０を、上部カバー部用形材５０から取り外す場合には、上部カバー部用形材５０と下部カバー部用形材６０との間に工具等を差し込み、上記の嵌合部分を軸に、板バネ１１の折れ曲がり部が凹部５５に挿入された状態が解除されるまで、反射部用形材７０及び下部カバー部用形材６０を回転させるだけで、容易に反射部用形材７０及び下部カバー部用形材６０を取り外すことが可能である。
【００７３】
本実施形態の照明装置１では、板バネ１１による付勢と、板状折れ曲がり部７３ｃ及び凹部５２ｈの嵌合とにより、反射部用形材７０及び下部カバー部用形材６０は、螺子等を使用せずに上部カバー部用形材５０に取り付けられる。そのため、例えばＬＥＤモジュールの交換が必要になった場合であっても、ＬＥＤモジュールが設置された下部カバー部用形材６０を、上部カバー部用形材５０から取り外すことで、上部カバー部用形材５０が設置された建築物等から取り外してから、ＬＥＤモジュールの交換を行うことができる。そのため、ＬＥＤモジュールが設置された形材を建築物等から取り外すことができない場合に比べて、ＬＥＤモジュールの交換に必要な空間を小さくすることができ、建築物への設置で要求される小型化が可能となっている。特に本実施形態では、照明装置１を組み立てた状態で、板状折れ曲がり部７３ｃが嵌合する凹部５２ｈよりも開口部５側に位置する傾斜面部５２ｇに、反射面３の一部を構成させることにより、反射光による演出の柔らかさを維持しつつ、照明装置１のさらなる小型化を可能としている。
【００７４】
このような小型化が可能な照明装置１は、光源及び反射面が設けられた第１の形材と、第１の形材が取り付けられる第２の形材とを備える照明装置であって、前記第１の形材は、前記反射面の一端を着脱自在に支持する支持部と、前記第１の形材を前記支持部に向けて付勢する付勢部材とにより、前記第２の形材に取り付けられており、前記第２の形材には、前記照明装置の開口部と前記支持部との間に反射面が形成されている照明装置として把握することができる。
【００７５】
次に本実施形態の照明装置１を建築物に設置する態様の例について説明する。照明装置１は、例えば図１２に示すコーニス照明として使用することができる。図１２の例では、照明装置１は、開口部５が天井Ｖと平行となるように、壁Ｗと天井Ｖとの間に挟まれるように設置されており、照明装置固定用吊りボルト２１に連結された吊り金具２２に螺子止めされている。照明装置１と壁Ｗとの間及び照明装置１と天井Ｖとの間には、アタッチ材Ｕがそれぞれ設けられており、アタッチ材Ｕは、上端が吊り金具２２に接続されている。またアタッチ材Ｕにはそれぞれ、照明装置１を互いに対向する方向に付勢する板バネＴが螺子止めされている。
照明装置１は主として図１２の斜め右側に光を放射するため、壁Ｗを好適に照らすことができる。一方、壁Ｗから左側に離れた人はＬＥＤ光源の光を直接視認することがないため、眩しさを感じない。その結果、壁Ｗの間接照明による心地よい照明空間を実現することができる。
【００７６】
図１３においては、照明装置１は、天井に埋め込まれるベース照明として使用されている。図１３の例では、照明装置１は、天井Ｖの間に挟まれるように設置されており、照明装置固定用吊りボルト２１に連結された吊り金具２２に螺子止めされている。図１２の場合と同様に、照明装置１と天井Ｖとの間には、アタッチ材Ｕが設けられており、アタッチ材Ｕは、上端が吊り金具２２に接続されている。またアタッチ材Ｕにはそれぞれ、照明装置１を互いに対向する方向に付勢する板バネＴが螺子止めされている。
【００７７】
図１４においては、２つの照明装置１が天井に埋め込まれてベース照明として使用されている。図１４の例では、隣接するように対称に配置された２つの照明装置１が、天井Ｖの間に挟まれるように設置されており、照明装置固定用吊りボルト２１に連結された吊り金具２２に螺子止めされている。図１３の場合と同様に、照明装置１と天井Ｖとの間には、アタッチ材Ｕが設けられており、アタッチ材Ｕは、上端が吊り金具２２に接続されている。またアタッチ材Ｕにはそれぞれ、照明装置１を互いに対向する方向に付勢する板バネＴが螺子止めされている。
【００７８】
図１５においては、２つの照明装置１をペンダント照明として使用している。図１５の例では、対称に配置された２つの照明装置１の間に形材からなる連結形材８０を配置し、２つの照明装置１を連結形材８０に螺子止めしている。２つの照明装置１は、アタッチ材Ｕにも螺子止めされている。連結形材８０及びアタッチ材Ｕは、天井より吊り下げられた吊り金具２２で、吊り下げられている。
図１３、図１４、図１５のいずれの場合においても、照明装置１は主照明として用いられ、人はＬＥＤ光源の光を直接視認することがないため、眩しさを感じない。その結果、心地よい照明空間を実現することができる。
【００７９】
図１６においては、照明装置１は、コーブ照明として使用されている。図１６の例では、照明装置１は、開口部５が壁Ｗの壁面と平行となるように、壁Ｗと天井Ｖとの間に形成された窪みの中に設置されており、壁Ｗに螺子止めされている。
照明装置１は主として図１６の天井方向に光を放射するため、天井Ｖを好適に照らすことができる。一方、壁面Ｗから左側に離れた人はＬＥＤ光源の光を直接視認することがないため、眩しさを感じない。その結果、天井Ｖの間接照明による心地よい照明空間を実現することができる。
【００８０】
図１７においては、照明装置１は、足元照明として使用されている。図１７の例では、照明装置１は、開口部５が壁Ｗの壁面と平行となるように、壁Ｗと床Ｘとの間に形成された窪みの中に設置されており、壁Ｗに螺子止めされている。
照明装置１は主として図１７の床方向に光を放射するため、床Ｘを好適に照らすことができる。また、床Ｘが鏡面反射をするタイルや大理石などで構成されていても、人はＬＥＤ光源の光を直接視認することがないため、光源の粒々感を感じない。その結果、心地よい床照明を実現することができる。
【００８１】
なお照明装置１は、用途に応じて、方立、たて枠、無目、上枠、下枠、巾木等の建材に用いることができるものである。
【００８２】
図１３においては、照明装置１は、天井に埋め込まれるベース照明として使用されている。図１３の例では、照明装置１は、天井Ｖの間に挟まれるように設置されており、照明装置固定用吊りボルト２１に連結された吊り金具２２に螺子止めされている。図１２の場合と同様に、照明装置１と天井Ｖとの間には、アタッチ材Ｕが設けられており、アタッチ材Ｕは、上端が吊り金具２２に接続されている。またアタッチ材Ｕにはそれぞれ、照明装置１を互いに対向する方向に付勢する板バネＴが螺子止めされている。
【００８３】
図１４においては、２つの照明装置１が天井に埋め込まれてベース照明として使用されている。図１４の例では、隣接するように対称に配置された２つの照明装置１が、天井Ｖの間に挟まれるように設置されており、照明装置固定用吊りボルト２１に連結された吊り金具２２に螺子止めされている。図１３の場合と同様に、照明装置１と天井Ｖとの間には、アタッチ材Ｕが設けられており、アタッチ材Ｕは、上端が吊り金具２２に接続されている。またアタッチ材Ｕにはそれぞれ、照明装置１を互いに対向する方向に付勢する板バネＴが螺子止めされている。
【００８４】
図１５においては、２つの照明装置１をペンダント照明として使用している。図１５の例では、対称に配置された２つの照明装置１の間に形材からなる連結形材８０を配置し、２つの照明装置１を連結形材８０に螺子止めしている。２つの照明装置１は、アタッチ材Ｕにも螺子止めされている。連結形材８０及びアタッチ材Ｕは、天井より吊り下げられた吊り金具２２で、吊り下げられている。
図１３、図１４、図１５のいずれの場合においても、照明装置１は主照明として用いられ、人はＬＥＤ光源の光を直接視認することがないため、眩しさを感じない。その結果、心地よい照明空間を実現することができる。
【００８５】
図１６においては、照明装置１は、コーブ照明として使用されている。図１６の例では、照明装置１は、開口部５が壁Ｗの壁面と平行となるように、壁Ｗと天井Ｖとの間に形成された窪みの中に設置されており、壁Ｗに螺子止めされている。
照明装置１は主として図１６の天井方向に光を放射するため、天井Ｖを好適に照らすことができる。一方、壁面Ｗから左側に離れた人はＬＥＤ光源の光を直接視認することがないため、眩しさを感じない。その結果、天井Ｖの間接照明による心地よい照明空間を実現することができる。
【００８６】
図１７においては、照明装置１は、足元照明として使用されている。図１７の例では、照明装置１は、開口部５が壁Ｗの壁面と平行となるように、壁Ｗと床Ｘとの間に形成された窪みの中に設置されており、壁Ｗに螺子止めされている。
照明装置１は主として図１７の床方向に光を放射するため、床Ｘを好適に照らすことができる。また、床Ｘが鏡面反射をするタイルや大理石などで構成されていても、人はＬＥＤ光源の光を直接視認することがないため、光源の粒々感を感じない。その結果、心地よい床照明を実現することができる。
【００８７】
なお照明装置１は、用途に応じて、方立、たて枠、無目、上枠、下枠、巾木等の建材に用いることができるものである。
【００８８】
次に本実施形態の照明装置１の効果について説明する。上記実施形態においては、反射面３が、光源としてのＬＥＤモジュール２と対向するように配置された弧面部３０を有しており、光源としてのＬＥＤモジュール２を発し弧面部３０で反射された正反射光が、光源としてのＬＥＤモジュール２を通り開口部５平行な仮想線Ｊより開口部５側で集光する。
このような照明装置１では、弧面部３０に向けて放射された光を、１回の反射で照明装置の外部に放射しつつ、弧面部を有する反射面３と、開口部５との最大間隔を、弧面部３０で反射された正反射光の集光位置（領域）が仮想線Ｊより開口部５側にない場合よりも、小さなものとすることができる。そのため本実施形態の照明装置１では、指向性の強い発光ダイオードを光源として使用しても、反射光による演出の柔らかさを維持しつつ、建築物への設置で要求される小型化及び器具効率の向上を達成することができる。また、照明装置１の小型化によって、建築構造体（天井や壁等）に干渉しづらくなり、現場施工を少なくすることができる。
【００８９】
本実施形態の照明装置１では、第１の弧面部３１は、反射部分３１ａ’〜３１ｎ’と、反射部分３１ａ’〜３１ｎ’に隣接するバッフル部分３１ａｂ〜３１ｍｎを有しており、バッフル部分３１ａｂ〜３１ｍｎは、隣接する反射部分３１ａ’〜３１ｎ’より入射光の密度が低く、光源としてのＬＥＤモジュール２を発し反射部分３１ａ’〜３１ｎ’で反射された正反射光は、開口部５に直接放射されるため、第１の弧面部３１で反射する反射光が反射面３内に分散されると共に、意図的に陰になる部分を作ることにより、照明装置１が放射する光が局所的に眩しくなることを抑制することができる。
【００９０】
本実施形態の照明装置１では、光源としてのＬＥＤモジュール２の延在方向に垂直な面において、弧面部３０で反射された正反射光が集光する集光点Ａと光源としてのＬＥＤモジュール２とを通る直線は、開口部５に対して傾斜している又は開口部５と平行であるため、照明装置１の高さを、天井を吊り下げる役割を持つ構造材２４よりも低く抑えることができる。
【００９１】
本実施形態の照明装置１では、第２の弧面部３２が、実質的に楕円弧形状を有しているため、第２の弧面部３２の反射光を、仮想線Ｊより開口部５側に容易に集光させることができる。
【００９２】
本実施形態の照明装置１では、第１の弧面部３１の一端が、開口部５上に位置しているため、開口部５と第１の弧面部３１との間隔をなくすことができ、照明装置を更に小型化することができる。
【００９３】
本実施形態の照明装置１では、反射面３は、形状が互いに異なる第１の弧面部３１及び第２の弧面部３２を有しているため、図１８に示すように、反射面３により反射する反射光を、分散させることができ、照明装置１を小型化しても、反射光による演出の柔らかさを高めることができる。
【００９４】
本実施形態の照明装置１では、反射面３は、５０％以上の部分が第１の弧面部３１及び第２の弧面部３２により構成されているため、反射面３は、少なくとも５０％以上の部分で、光源が発する光を、１回の反射で照明装置の外部に放射することが可能であり、照明装置１の器具効率を高めることができる。なお、反射面３が第２の弧面部３２を有さない場合には、反射面３の５０％以上の部分が第１の弧面部３１により構成されることにより、同様の効果を奏する。
【００９５】
本実施形態の照明装置１では、反射面３は、第１の弧面部３１及び第２の弧面部３２からなるため、光源が発する光の多くを、１回の反射で照明装置の外部に放射することが可能であり、照明装置１の器具効率を高めることができる。なお、反射面３が第２の弧面部３２を有さない場合には、反射面３を第１の弧面部３１から構成することにより、同様の効果を奏する。
【００９６】
本実施形態の照明装置１では、光源が発する光が直接外部に放射されることを防止する第１の側壁部６２を備えているため、照明装置１が放射する光が局所的に眩しくなることを抑制することができる。
【００９７】
本実施形態の照明装置１では、第１の弧面部３１の楕円Ｅ１の第１焦点３１Ｆ及び第２焦点３１Ｆ’を通る直線と、開口部３とのなす角が４５°以下となっているため、照明装置１をさらに小型化することが可能である。
【００９８】
上記実施形態においては、４つの形材が組み合わされた場合について説明したが、形材は全ての部分が一体的に構成されていてもよい。
【００９９】
上記実施形態においては、反射面を形材の一部として構成しているが、反射面は形材とは別部材として構成してもよい。
【０１００】
上記実施形態においては、光源としてＬＥＤを使用しているが、光源はＬＥＤに限定されるものではない。
【０１０１】
上記実施形態においては、バッフルが第１の弧面部のみに形成された反射面を使用しているが、反射面の全部にバッフルが形成されていてもよく、反射面の全部にバッフルが形成されていなくともよい。
【０１０２】
上記実施形態においては、反射面が２つの弧面部を有する場合について説明しているが、反射面は一つの弧面部を有するものとしてもよく、３以上の弧面部を有するものとしてもよい。
【０１０３】
本発明は、以上説明した実施形態に限定されるものではなく、多くの変形が本発明の技術的思想内で当分野において、通常の知識を有する者により可能である。
【産業上の利用可能性】
【０１０４】
本発明によれば、特に指向性の強い発光ダイオードを光源として使用しても、反射光による演出の柔らかさを維持しつつ、建築物への設置で要求される小型化及び器具効率の向上が可能な照明装置を提供することができる。
【符号の説明】
【０１０５】
１：照明装置
１ａ：外周面  １ｂ：一端  １ｃ：他端  １ｄ：上壁部  １ｅ：下壁部
２：ＬＥＤモジュール
２ａ：ＬＥＤチップ  ２ｂ：基板  ２ｃ：透過率の高い板
３：反射面
４：形材
５：開口部  ５ａ：一端  ５ｂ：他端
６：電気ケーブル
７：電源ユニット
９：連結金具
１１：板バネ
２１：照明装置固定用吊りボルト
２２：吊り金具
３０：弧面部
３１：第１の弧面部
３１Ｆ：第１焦点  ３１Ｆ’：第２焦点
３１ａ〜３１ｎ：仮想反射面部
３１ａ’〜３１ｎ’：反射部分
３１ａｂ〜３１ｍｎ：バッフル部分
３２：第２の弧面部
３２Ｆ：第１焦点  ３２Ｆ’：第２焦点
５０：上部カバー部用形材
５１：本体壁部
５１ａ：一端  ５１ｂ：他端  ５１ｃ：内周面  ５１ｄ：Ｌ字板状突出部
５２：第１の起立壁部
５２ａ：内周面  ５２ｂ：板状張出部  ５２ｃ：外周面  ５２ｄ：凹部
５２ｅ：板状突出部  ５２ｆ：一対の板状突出部  ５２ｇ：傾斜面部
５２ｈ：凹部
５３：第２の起立壁部
５３ａ：内周面  ５３ｂ：板状張出部  ５３ｃ：板状突出部  ５３ｄ：外周面
５３ｅ凹部
５４：一対の板状突出部
５５：凹部
６０：下部カバー部用形材
６１：本体壁部
６１ａ：内周面  ６１ｂ：一端  ６１ｃ：他端  ６１ｄ：Ｌ字板状突出部
６１ｅ：一対の板状突出部  ６１ｆ：外周面
６２：第１の側壁部
６２ａ：板状突出部
６３：第２の側壁部
６３ａ：第１の壁部分  ６３ｂ：第２の壁部分  ６３ｃ：第３の壁部分
６３ｄ：第４の壁部分  ６３ｅ：板状突出部
６４：板状傾斜突出部
６５：凹部
７０：反射部用形材
７１：固定部
７１ａ：Ｌ字板状折り返し部
７２：支持部
７２ａ：底面部  ７２ｂ：第１の壁面部  ７２ｃ：第２の壁面部
７２ｄ：抜け止め部  ７２ｅ凹部  ７２ｆ：第１の収容部
７２ｇ：第２の収容部
７３：反射部
７３ａ：一端  ７３ｂ：他端  ７３ｃ：板状折れ曲がり部
７４：接続部
７４ａ：Ｌ字板状折り返し部
８０：連結形材
Ａ：点  Ｂ：バッフル  Ｃ１〜Ｃｎ：交点  Ｅ１：楕円  Ｅ２：楕円
Ｌ０：基準線  Ｌ１〜Ｌｎ：直線  Ｍ１〜Ｍｎ−１：点  Ｎ：螺子  Ｏ：点  Ｐ：点
Ｑ：点  Ｒ：点  Ｓ：点  Ｔ：板バネ  Ｕ：アタッチ材  Ｖ：天井  Ｗ：壁  Ｘ：床
【図１】
2020095923.tif 000003
【図２】
2020095923.tif 000004
【図３】
2020095923.tif 000005
【図４】
2020095923.tif 000006
【図５】
2020095923.tif 000007
【図６】
2020095923.tif 000008
【図７】
2020095923.tif 000009
【図８】
2020095923.tif 000010
【図９】
2020095923.tif 000011
【図１０】
2020095923.tif 000012
【図１１】
2020095923.tif 000013
【図１２】
2020095923.tif 000014
【図１３】
2020095923.tif 000015
【図１４】
2020095923.tif 000016
【図１５】
2020095923.tif 000017
【図１６】
2020095923.tif 000018
【図１７】
2020095923.tif 000019
【図１８】
2020095923.tif 000020